(57)【特許請求の範囲】
【請求項１】
ケース本体と、該ケース本体に開閉自在に取着され所定個所に係止片を設けた蓋体と、ケース本体に装着された蓋係止機構とを備えたコンパクトであって、
蓋係止機構が、ケース本体に配設され、蓋体の係止片と係合するフックと、その下方に突設されたストッパーとを具えた係止壁面と、
ケース本体に廻動自在に装着された、押え板と側板、押え板下端から連設された底板とを具えた操作部材とからなり、
底板には、蓋体の係止片と係合する係合部を具えた作動板を立設し、底板の端縁部上面をストッパーに係合する係止面としたことを特徴とするコンパクトの蓋係止機構。
【請求項２】
ケース本体に配設されたストッパーが、作動板が通過可能な間隔をとって左右に配設されており、
操作部材が、底板上面の中央に、蓋体の係止片に係合する作動板を設けていることを特徴とする請求項１記載のコンパクトの蓋係止機構。
【請求項３】
ケース本体と、該ケース本体に開閉自在に取着され所定個所に係止片を設けた蓋体と、ケース本体に装着された蓋係止機構とを備えたコンパクトであって、
蓋係止機構が、ケース本体に配設され、蓋体の係止片と係合するフックと、その下方に上面をストッパー面とした係合凹部とを具えた係止壁面と、
ケース本体に廻動自在に装着された、押え板と側板、押え板下端から連設された底板とを具えた操作部材とからなり、
底板には、蓋体の係止片と係合する係合部を具えた作動板を立設し、底板の端部に、上面が係合凹部のストッパー面に係合する係止片を突設したことを特徴とするコンパクトの蓋係止機構。
【請求項４】
底板上面の中央に、蓋体の係止片に係合する作動板を設けていることを特徴とする請求項３記載のコンパクトの蓋係止機構。
【請求項５】
ケース本体と、該ケース本体に開閉自在に取着され所定個所に係止片を設けた蓋体と、ケース本体に装着された蓋係止機構とを備えたコンパクトであって、
蓋体裏面の係止片の両側に係合部が設けられており、
蓋係止機構が、ケース本体に配設され、蓋体の係止片と係合するフックと、そのフックの下方に突設されたストッパーとを具えた係止壁面と、
ケース本体に廻動自在に装着された、押え板と側板、押え板下端から連設された底板とを具えた操作部材とからなり、
操作部材の底板の端縁部上面をストッパーに係合する係止面とし、操作部材の側板上端が、蓋体の係合部に係合して蓋体を押上げるようにしたことを特徴とするコンパクトの蓋係止機構。
【請求項６】
ケース本体と、該ケース本体に開閉自在に取着され所定個所に係止片を設けた蓋体と、ケース本体に装着された蓋係止機構とを備えたコンパクトであって、
蓋体裏面の係止片の両側に係合部が設けられ、
蓋係止機構が、ケース本体に配設され、蓋体の係止片と係合するフックと、その下方に穿設され、上面をストッパー面とした係合凹部を具えた係止壁面と、
ケース本体に廻動自在に装着された、押え板と側板、押え板下端から連設された底板とを具えた操作部材とからなり、  
操作部材の底板の端縁部上面を係合凹部のストッパー面に係合する係止面とし、操作部材の側板上端が、蓋体の係合部に係合して蓋体を押上げるようにしたことを特徴とするコンパクトの蓋係止機構。
【請求項７】
係合部に係合する操作部材が、押え板と側板の上端に連設され中央部を切欠部とした上板を具えていることを特徴とする請求項５または６記載のコンパクトの蓋係止機構。
【発明の詳細な説明】
【０００１】
【発明の属する技術分野】
本発明は、コンパクト、とくにコンパクトの蓋係止機構に関する。
【０００２】
【従来の技術】
コンパクトの蓋係止機構として、図１３に示すような廻動式操作部材は従来より知られている。
図において、Ａｄはケース本体、Ｂｄは蓋体、Ｃｄは蓋係止機構の操作部材である。
操作部材Ｃｄは、ケース本体Ａｄに設けられた軸ピン５０に枢着部５１を介して廻動自在に取着されており、押え板５２を押圧したときに、作動板５３が蓋体Ｂｄのフック５４に衝接し、フック５４をケース本体Ａｄの係止壁面に設けたフック５５から外して蓋体Ｂｄを開くようにしている。
【０００３】
【発明が解決しようとする課題】
しかしながら、操作部材Ｃｄの枢着部５１と軸ピン５０との間ではわずかであるが遊びを設け、また、軸ピン５０に対して枢着部５１が摺動できるようになっている。
【０００４】
そのため、廻動操作時に、操作部材Ｃｄの底板５６とケース本体Ａｄとの間にきしみが生じるという問題があった。
また、底板５６の端部５６ａがケース本体Ａｄの係止壁面に喰い込み、操作部材Ｃｄが動かなくなるという問題があった。
さらには、操作部材Ｃｄが喰い込み部を軸として廻動し、枢着部５１が軸ピン５０から離れ、操作部材Ｃｄの作動板５３がフック５４を押し上げることができないで、蓋体Ｂｄが開かなかったり、操作部材Ｃｄ自体が取り外れたりする危険性もあった。
【０００５】
本発明は、上記の問題を解決することを課題とし、きしみ、フックのケース本体への喰い込みをなくした廻動式の操作部材を具えたコンパクトの蓋係止機構を提供することを目的とする。
【０００６】
【課題を解決するための手段】
本発明は、上記の課題を解決するため、コンパクトの蓋係止機構として、ケース本体と、該ケース本体に開閉自在に取着され所定個所に係止片を設けた蓋体と、ケース本体に装着された蓋係止機構とを備えたコンパクトであって、蓋係止機構が、ケース本体に配設され、蓋体の係止片と係合するフックと、その下方に突設されたストッパーとを具えた係止壁面と、ケース本体に廻動自在に装着された、押え板と側板、押え板下端から連設された底板とを具えた操作部材とからなり、底板には、蓋体の係止片と係合する係合部を具えた作動板を立設し、底板の端縁部上面をストッパーに係合する係止面としたことを特徴とする構成を採用し、操作部材の実施例として、ケース本体に配設されたストッパーが、作動板が通過可能な間隔をとって左右に配設されており、操作部材が、底板上面の中央に、蓋体の係止片に係合する作動板を設けていることを特徴とする構成を採用する。
【０００７】
蓋係止機構の別実施形態として、ケース本体と、該ケース本体に開閉自在に取着され所定個所に係止片を設けた蓋体と、ケース本体に装着された蓋係止機構とを備えたコンパクトであって、蓋係止機構が、ケース本体に配設され、蓋体の係止片と係合するフックと、その下方に上面をストッパー面とした係合凹部とを具えた係止壁面と、ケース本体に廻動自在に装着された、押え板と側板、押え板下端から連設された底板とを具えた操作部材とからなり、底板には、蓋体の係止片と係合する係合部を具えた作動板を立設し、底板の端部に、上面が係合凹部のストッパー面に係合する係止片を突設したことを特徴とする構成を採用し、また、操作部材の実施例として、底板上面の中央に、蓋体の係止片に係合する作動板を設けていること特徴とする構成を採用する。
【０００８】
蓋係止機構の他の実施形態として、ケース本体と、該ケース本体に開閉自在に取着され所定個所に係止片を設けた蓋体と、ケース本体に装着された蓋係止機構とを備えたコンパクトであって、蓋体裏面の係止片の両側に係合部が設けられており、蓋係止機構が、ケース本体に配設され、蓋体の係止片と係合するフックと、そのフックの下方に突設されたストッパーとを具えた係止壁面と、ケース本体に廻動自在に装着された、押え板と側板、押え板下端から連設された底板とを具えた操作部材とからなり、操作部材の底板の端縁部上面をストッパーに係合する係止面とし、操作部材の側板上端が、蓋体の係合部に係合して蓋体を押上げるようにしたことを特徴とする構成を採用する。
【０００９】
さらに、蓋係止機構の他の実施形態として、ケース本体と、該ケース本体に開閉自在に取着され所定個所に係止片を設けた蓋体と、ケース本体に装着された蓋係止機構とを備えたコンパクトであって、蓋体裏面の係止片の両側に係合部が設けられ、蓋係止機構が、ケース本体に配設され、蓋体の係止片と係合するフックと、その下方に穿設され、上面をストッパー面とした係合凹部を具えた係止壁面と、ケース本体に廻動自在に装着された、押え板と側板、押え板下端から連設された底板とを具えた操作部材とからなり、操作部材の底板の端縁部上面を係合凹部のストッパー面に係合する係止面とし、操作部材の側板上端が、蓋体の係合部に係合して蓋体を押上げるようにしたことを特徴とする構成を採用し、操作部材の実施例として、係合部に係合する操作部材が、押え板と側板の上端に連設され中央部を切欠部とした上板を具えていることを特徴とする構成を採用する。
【００１０】
【発明の実施の形態】
次に、本発明の第１実施形態について、図面を参照して説明する。
図１，２において、Ａはケース本体、Ｂは蓋体、Ｃはケース本体Ａに装着された蓋係止機構である。
【００１１】
ケース本体Ａは、底板１と周壁２とからなり、ケース本体Ａ内部は化粧料、パフなどの収納部となっている。
周壁２には、蓋係止機構Ｃを配設するための切欠部３が設けられており、該切欠部３に対向する反対側周壁には、蓋体Ｂの蝶番機構のための切欠部４が設けられている。
【００１２】
図１，３に示すように、切欠部３は、周壁２の切欠端面５と係止壁面６、底面７とを具えており、切欠端面５には突出ピン８が突設されている。
係止壁面６の上部には、フック９が設けられており、その下方の左右にストッパー１０が設けられている。
【００１３】
蓋体Ｂは、一側に前記ケース本体Ａの蝶番ピンに枢支される蝶番用の取付片１５が設けられており、反対側には、係止片１６が垂設されている。
係止片１６は、その下端は平坦な係合面１７となっており、その端縁には内方に突出し、ケース本体Ａのフック９に係合するフック１８が設けられている。
【００１４】
前記切欠部３には、係止壁面６のフック９、ストッパー１０などとともに、蓋係止機構Ｃを構成する操作部材２０が突出ピン８を介して廻動可能として装着されている。
【００１５】
操作部材２０は、図４に示すように、押え板２１と側板２２、中央部を切欠部とした上板２３、底板２４とからなっている。
押え板２１の下端部は外方に膨出されて、押え部２５が形成されている。
側板２２には、底部２６を突出ピン８とほぼ同径の半円とした挿入溝２７が設けられ、半円に続き突出ピン８に係合する膨出部２８が挿入溝２７の上下面に設けられている。
【００１６】
底板２４の中央上面には、蓋体Ｂの係止片１６の係合面１７に係合する端部上面を係合部２９とした作動板３０が立設されており、閉蓋時には、係合部２９は係合面１７に接合している。
押え部２５を押下げたときには、操作部材２０が突出ピン８を中心に廻動し、それに応じて作動板３０の係合部２９がフック１８を押し上げ、フック９を乗り越えて上方に移動させるようにしている。
底板２４の端部上面は、係止面２４A となっており、操作部材２０の廻動時にストッパー１０に係合可能となっている。
【００１７】
次に、蓋係止機構Ｃの作用効果について説明する。
図５に示すように、蓋体Ｂを廻動してケース本体Ａに押圧すると、蓋体Ｂのフック１８がケース本体Ａのフック９に係合して閉蓋される。
その際、係止片１６の係合面１７は、蓋係止機構Ｃの作動板３０の上面に係合する。
【００１８】
蓋体Ｂを開くときは、押え部２５を押下げると、操作部材２０が突出ピン８を中心に廻動し、作動板３０の係合部２９が蓋体Ｂ係止片１６の係合面１７を押上げ、フック１８を、ケース本体Ａのフック９を乗り越えて上昇させ、フック９との係合を解くことになる。
【００１９】
そして、操作部材２０の底板２４の係止面２４A は、ストッパー１０の下面に係合して所定の廻動位置を維持することとなる。
蓋体Ｂを開いた後、操作部材２０の上板２３を押圧すると、操作部材２０を元の位置に戻すことができる。
【００２０】
次に蓋係止機構の第２実施形態について説明する。
本実施形態は、前第１実施形態のケース本体Ａの係止壁面６と操作部材２０の底板２４の構成を変更したものである。
同一の構成部分は、同一の符号に添字ａを付して図示し、以下相違点を中心に説明する。
【００２１】
図６において、Ａａはケース本体、Ｂａは蓋体、Ｃａは蓋係止機構である。
図６，７に示すように、ケース本体Ａａの係止壁面６ａには、フック９ａが設けられており、その下方には上面をストッパー面４０とした係合凹部４１が穿設されている。
【００２２】
図８に示すように、操作部材２０ａは、前記第１実施形態と同様に、下端に押え部２５ａを形成して押え板２１ａと側板２２ａ、上板２３ａ、底板２４ａとからなっており、底板２４ａの中央上面には、蓋体Ｂａの係止片１６ａの係合面１７ａに係合する端部上端を係合部２９ａとした作動板３０ａが立設されている。底板２４ａ端部の中央には、係止片４２が突設されており、該係止片４２は、操作部材２０ａの廻動時に係合凹部４１に挿入され、係止片４２上面がストッパー面４０に係合可能となっている。
【００２３】
次に、蓋係止部材Ｃａの作用効果について説明すると、開蓋時には、図９に示すように、押え部２５ａを押下げると、操作部材２０ａが突出ピン８ａを中心に廻動し、作動板３０ａの係合部２９ａが蓋体Ｂａ係止片１６ａの係合面１７ａを押上げ、フック１８ａを、ケース本体Ａａのフック９ａを乗り越えて上昇させ、フック９ａとの係合を解くことになる。
【００２４】
そして、操作部材２０ａの底板２４ａの係止片４２は、係合凹部４１に挿入され、係止片４２がストッパー面４０に係合して所定の廻動位置を維持することとなる。
蓋体Ｂａを開いた後、操作部材２０ａの上板２３ａを押圧すると、操作部材２０ａを元の位置に戻すことができる。
【００２５】
次に、本発明の第３実施形態について説明する。
本実施形態は、前記第１実施形態における操作部材２０から作動板３０をなくして、上壁２３を、蓋体Ｂに設けた係合部に係合させて開蓋するようにしたものである。
同一の構成部分には、同一の符号に添字ｂを付して説明し、相違点を中心に簡単に説明する。
【００２６】
図１０に示すように、本実施形態では、操作部材２０ｂは、第１実施形態と同様に、押え板２１ｂとケース本体Ａｂの突出ピン８ｂに嵌挿される側板２２ｂ、中央部を切欠部とした上板２３ｂと、端部上面を係止面２４Aｂ とした底板２４ｂとを具えている。
【００２７】
ケース本体Ａｂの係止壁面６ｂには、フック９ｂと、その下方で横方向に延びる一条のストッパー４５とが設けられている。
ストッパー４５は、底板２４ｂの中央に作動板がないから一条のストッパーとしたが、第１実施形態と同様に左右一対のストッパーであってもよい。
【００２８】
図１１に示すように、蓋体Ｂｂの係止片１６ｂの両側には、上板２３ｂの両端辺部２３Aｂ が係合する係合部４６が設けられている。
係合部４６は、蓋体Ｂｂの裏面より突出し、その上面は、蓋体Ｂｂの端縁４７から水平に延び、係止片１６ｂの内側面まで達し、閉蓋時には、上板２３ｂの上面に接するようにしている。
【００２９】
開蓋時には、第１実施形態と同様に、押え部２５ｂを押下げると、図１２に示すように、操作部材２０ｂが廻動して上板２３ｂの端縁が、フック９ｂ両端の蓋体Ｂｂ裏面の係合部４６に係合して押上げ、ケース本体Ａｂのフック９ｂと蓋体Ｂｂのフック１８ｂとの係合を外して蓋体Ｂｂを開くことができる。
そして、底板２４ｂの端縁上面の係止面２４Aｂ が、ストッパー４５に係合して所定の廻動位置を維持することとなる。
【００３０】
次に、前記第３実施形態の変形実施例について説明する。
本実施形態は、上記第３実施形態において、係止壁面６ｂに、ストッパー４５に変え、第２実施形態の上面をストッパー面４０とした係合凹部４１を穿設し、操作部材２０ｂの底板２４ｂに、その中央部を突出させ、係止片４２を突設したものである。
【００３１】
開蓋時には、前記第３実施形態と同様に、押え部２５ｂを押下げると、操作部材２０ｂが廻動して上板２３ｂの端縁が、フック１８ｂ両端の蓋体Ｂｂ裏面の係合部４６に係合して押上げ、ケース本体Ａｂのフック９ｂと蓋体Ｂｂのフック１８ｂとの係合を外して蓋体Ｂｂを開くことができる。
そして、操作部材２０ｂの底板２４ｂの係止片４２は、係合凹部４１に挿入され、係止片４２がストッパー面４０に係合して所定の廻動位置を維持することとなる。
【００３２】
前記第３実施形態では蓋体Ｂｂ裏面の係合部４６を係止片１６ｂの両側に設けたが、端縁４７全長にわたって設けてもよく、また蓋体Ｂｂの端縁全周を巾広とし係止片１６ｂの両側を係合部としてもよい。
【００３３】
前記各実施形態では、操作部材は、押え板と側板、中央部を切欠部とした上板と底板とを具えているが、第３実施形態においても蓋体Ｂｂ裏面の係合部４６に側板２２ｂの上端を係合させるようにしてもよく、上板はなくてもよい。
【００３４】
【発明の効果】
本発明は、上記のように構成されているから、次の効果を奏する。
ケース本体の係止壁面に壁面より突出したストッパー、または、上面をストッパー面とした係合凹部を設け、操作部材の底板を係止させるようにしたから、廻動操作時に、ケース本体と操作部材の間のきしみをなくし、操作部材のケース本体への喰い込みをなくすことができた。
【図面の簡単な説明】
【図１】本発明のコンパクトの斜視図である。
【図２】コンパクトの一部断面側面図である。
【図３】ケース本体の切欠部の説明図で、（ａ）は斜視図、（ｂ）は正面図、（ｃ）は断面図である。
【図４】操作部材の説明図で、（ａ）は上面図、（ｂ）は右側面図、（ｃ）は図（ａ）のＡ−Ａ線における断面図、（ｄ）は図（ａ）のＢ−Ｂ線における断面図である。
【図５】  開閉動作の説明図で、（ａ）は閉蓋時、（ｂ）は開蓋時の説明図である。
【図６】  第２実施形態の蓋係止機構の断面図である。
【図７】  ケース本体の係止壁面の斜視図である。
【図８】  操作部材の説明図で、（ａ）は上面図、（ｂ）は側面図、（ｃ）は図（ａ）のＡ−Ａ線における断面図である。
【図９】  開蓋時の蓋係止機構の説明図である。
【図１０】  第３実施形態の説明図で、（ａ）は蓋係止機構の断面図、（ｂ）はケース本体の係止壁面の斜視図、（ｃ）は操作部材の断面図である。
【図１１】  蓋体の係止片の斜視図である。
【図１２】  開蓋時の説明図で、（ａ）は開蓋前、（ｂ）は開蓋後の説明図である。ある。
【図１３】  コンパクトの蓋係止機構の従来例説明図で、（ａ）は閉蓋時、（ｂ）は開蓋時の説明図である。
【符号の説明】
Ａ、Ａａ、Ａｂ、Ａｄ        ケース本体
Ｂ、Ｂａ、Ｂｂ、Ｂｄ        蓋体
Ｃ、Ｃａ                    蓋係止機構
６、６ａ、６ｂ              係止壁面
８、８ａ、８ｂ              突出ピン
９、９ａ、９ｂ、５４        フック
１０、４５                  ストッパー
１６、１６ａ                係止片
１７、１７ａ                係合面
１８、１８ａ、１８ｂ、５５  フック
２０、２０ａ、２０ｂ、Ｃｄ  操作部材
２１、２１ａ、２１ｂ、５２  押え板
２２、２２ａ、２２ｂ        側板
２３、２３ａ、２３ｂ        上板
２４、２４ａ、２４ｂ、５６  底板
２４A 、２４Aｂ             係止面
２５、２５ａ、２５ｂ        押え部
２７                        挿入溝
２９、２９ａ                係合部
３０、３０ａ、５３          作動板
４０                        ストッパー面
４１                        係合凹部
４２                        係止片
４６                        係合部
４７                        端縁
５０                        軸ピン
５１                        枢着部
【図１】
0004064095.tif 000002
【図２】
0004064095.tif 000003
【図３】
0004064095.tif 000004
【図４】
0004064095.tif 000005
【図５】
0004064095.tif 000006
【図６】
0004064095.tif 000007
【図７】
0004064095.tif 000008
【図８】
0004064095.tif 000009
【図９】
0004064095.tif 000010
【図１０】
0004064095.tif 000011
【図１１】
0004064095.tif 000012
【図１２】
0004064095.tif 000013
【図１３】
0004064095.tif 000014